(57)【要約】      （修正有）【課題】継続使用により発生する埃や塵等をシーツ内部の角側に這入り込むことを防止するとともに、埃や塵等を容易に除去することのできるマットレス又は敷布団用カバー型シーツを提供する。【解決手段】マットレスの上面に覆うように装着されるシーツ本体１０と、シーツ本体１０の一方の短辺側に形成されている、マットレスの一方の短辺側を覆う第１の袋部２０ａとを備える。シーツ本体１０に形成される第１の袋部２０ａは、シーツ本体１０の一方の短辺側に位置し、シーツ本体１０の一方の短辺と、第１の袋部２０ａの上辺２１の重なる辺を重着し、シーツ本体１０の一方の短辺側の両長辺と、第１の袋部２０ａの短辺（シーツ本体１０の長辺と重なる第１の袋部２０ａの辺）を重着することで袋状に形成する。【選択図】図１
0003200544.tif 000002
【実用新案登録請求の範囲】
【請求項１】
マットレス又は敷布団の上面に覆うように装着されるシーツ本体と、
該シーツ本体の一方の短辺側に形成されている、該マットレス又は敷布団の一方の短辺側を覆う第１の袋部とを備え、
該シーツ本体と該第１の袋部とが、該シーツ本体の一方の短辺側に位置する両角を挟む、それぞれの隣り合う２辺を跨る線に沿って封着されていることを特徴とするマットレス又は敷布団用カバー型シーツ。
【請求項２】
該シーツ本体と該第１の袋部とが封着されている、いずれか１つの箇所よりも角側が、角取りされていることを特徴とする請求項１に記載のマットレス又は敷布団用カバー型シーツ。
【請求項３】
該シーツ本体の一方の短辺側に位置する両角を挟む、それぞれの隣り合う２辺を跨る線が直線であることを特徴とする請求項１又は２に記載のマットレス又は敷布団用カバー型シーツ。
【請求項４】
該シーツ本体の他方の短辺側に形成されている、該マットレス又は敷布団の他方の短辺側を覆う第２の袋部とを備え、
該シーツ本体と該第２の袋部とが、該シーツ本体の他方の短辺側に位置する両角を挟む、それぞれの隣り合う２辺を跨る線に沿って封着されていることを特徴とする請求項１に記載のマットレス又は敷布団用カバー型シーツ。
【請求項５】
該シーツ本体と該第１及び第２の袋部とが封着されている、いずれか１つの箇所よりも角側が、角取りされていることを特徴とする請求項４に記載のマットレス又は敷布団用カバー型シーツ。
【請求項６】
該シーツ本体の全ての角を挟む、それぞれの隣り合う２辺を跨る線が直線であることを特徴とする請求項４又は５に記載のマットレス又は敷布団用カバー型シーツ。
【考案の詳細な説明】
【技術分野】
【０００１】
本考案は、マットレス又は敷布団に装着されるマットレス又は敷布団用カバー型シーツに関する。
【背景技術】
【０００２】
一般に、寝具の一つであるマットレス又は敷布団は、使用による直接的な汚損を防止するため、マットレス又は敷布団を覆うシーツが使用されている。このようなシーツとして、シート形状からなるシーツがある。そして、このシート形状のシーツをマットレス又は敷布団に取り付ける際には、シーツの前後・左右の側部をマットレス又は敷布団の下側に押し込んで保持する。
【０００３】
このため、シーツの取り付け作業を行う作業者は、シート形状のシーツをマットレス又は敷布団に載置し、マットレス又は敷布団の前後・左右に移動することで、シーツをマットレス又は敷布団の下側に押し込む必要があることから、シーツの取り付け作業に手間と時間がかかるという問題があった。
【０００４】
特に、ホテルや病院で使用されているマットレス又は敷布団は、頻繁にシーツの交換作業（シーツの取り付け及び取り外し作業）が行われることから、シーツの取り付け作業の効率性が求められている。
【０００５】
そこで、このような問題を解決しようとするシーツとして、マットレス又は敷布団の表面を覆う表面部と、マットレス又は敷布団の周側面を覆う周側部と、マットレス又は敷布団の裏面を覆う裏面部とを備え、裏面部がマットレス又は敷布団を出し入れするために開口してなるボックス型シーツが知られている（非特許文献１参照）。
【０００６】
この非特許文献１に記載のボックス型シーツは、マットレス又は敷布団に取り付ける際に、開口する箇所からマットレス又は敷布団を挿入し、ボックス型シーツの一辺をマットレス又は敷布団の一方の短辺側に引っ掛けて、ボックス型シーツを、マットレス又は敷布団の他方の短辺側に向かって引っ張ることで、マットレス又は敷布団全体に装着することから、シーツの取り付け作業を簡易迅速に行うことのできるものとなっている。
【先行技術文献】
【非特許文献】
【０００７】
【非特許文献１】株式会社かみのや  オーダーメイド布団カバーサービス  ＢＯＸシーツ〔平成２７年７月１日検索〕、インターネット＜URL: http://www.curoomfeelds.jp/spot/ordermade_cover/detail_opt/box/box.html＞
【考案の概要】
【考案が解決しようとする課題】
【０００８】
しかしながら、非特許文献１に記載のボックス型シーツは、シーツ全体の形状が袋状に形成されていることから、シーツの取り付け作業を簡易迅速に行うことができるものの、シーツを継続使用することで発生する埃や塵等が、袋状に形成されるボックス型シーツ内部に蓄積されるという問題がある。
【０００９】
特に、マットレス又は敷布団の形状に沿うように袋状に形成されるボックス型シーツ内部の角側においては、埃や塵等が溜まりやすいうえに、蓄積した埃や塵等を除去する際、ボックス型シーツ内部の角奥に指を押し込んで除去しなければならず、蓄積した埃や塵等を除去する作業は非常に手間がかかるのである。
【００１０】
このことは、非特許文献１に記載のボックス型シーツを含む袋状に形成されるボックス型シーツ等を洗濯する際、ボックス型シーツ内部に蓄積する埃や塵等が、他の洗濯対象物や他のシーツに付着することを防ぐべく、洗濯作業を行う前に袋状に形成されるボックス型シーツ内部から埃や塵等を除去しておく作業が必要であることから、大きな問題である。
【００１１】
そこで、本考案は、上記点に鑑みてなされたものであり、シーツの交換作業を簡易迅速に行うことができるマットレス又は敷布団用カバー型シーツであるとともに、マットレス又は敷布団用カバー型シーツ内部に蓄積する埃や塵等が、マットレス又は敷布団用カバー型シーツ内部の角側に這入り込むことを防止し、かつ、蓄積する埃や塵等を容易に除去することができるマットレス又は敷布団用カバー型シーツを提供することを目的とするものである。
【課題を解決するための手段】
【００１２】
請求項１の考案に係るマットレス又は敷布団用カバー型シーツは、マットレス又は敷布団の上面に覆うように装着されるシーツ本体と、該シーツ本体の一方の短辺側に形成されている、該マットレス又は敷布団の一方の短辺側を覆う第１の袋部とを備え、該シーツ本体と該第１の袋部とが、該シーツ本体の一方の短辺側に位置する両角を挟む、それぞれの隣り合う２辺を跨る線に沿って封着されていることを特徴とする。
【００１３】
請求項２の考案に係るマットレス又は敷布団用カバー型シーツは、請求項１に記載の考案に係るマットレス又は敷布団用カバー型シーツにおいて、該シーツ本体と該第１の袋部とが封着されている、いずれか１つの箇所よりも角側が、角取りされていることを特徴とする。
【００１４】
請求項３の考案に係るマットレス又は敷布団用カバー型シーツは、請求項１又は２のいずれかに記載の考案に係るマットレス又は敷布団用カバー型シーツにおいて、該シーツ本体の一方の短辺側に位置する両角を挟む、それぞれの隣り合う２辺を跨る線が直線であることを特徴とする。
【００１５】
請求項４の考案に係るマットレス又は敷布団用カバー型シーツは、請求項１に記載の考案に係るマットレス又は敷布団用カバー型シーツにおいて、該シーツ本体の他方の短辺側に形成されている、該マットレス又は敷布団の他方の短辺側を覆う第２の袋部とを備え、該シーツ本体と該第２の袋部とが、該シーツ本体の他方の短辺側に位置する両角を挟む、それぞれの隣り合う２辺を跨る線に沿って封着されていることを特徴とする。
【００１６】
請求項５の考案に係るマットレス又は敷布団用カバー型シーツは、請求項４に記載の考案に係るマットレス又は敷布団用カバー型シーツにおいて、該シーツ本体と該第１及び第２の袋部とが封着されている、いずれか１つの箇所よりも角側が、角取りされていることを特徴とする。
【００１７】
請求項６の考案に係るマットレス又は敷布団用カバー型シーツは、請求項４又は５のいずれかに記載の考案に係るマットレス又は敷布団用カバー型シーツにおいて、該シーツ本体の全ての角を挟む、それぞれの隣り合う２辺を跨る線が直線であることを特徴とする。
【考案の効果】
【００１８】
請求項１に記載の考案は、シーツ本体と第１の袋部とが、シーツ本体の一方の短辺側に位置する両角を挟む、それぞれの隣り合う２辺を跨る線に沿って封着されていることから、第１の袋部の内部の角側に埃や塵等が這入り込むことを防止するとともに、洗濯作業者は、蓄積した埃や塵等を除去する際、第１の袋部の内部の角奥に指を押し込む必要がないため、埃や塵等を容易に除去することができる。
【００１９】
また、このように、マットレス又は敷布団用カバー型シーツを、マットレス又は敷布団に装着した場合において、本考案では、シーツ本体と第１の袋部とが封着されている封着線と、マットレス又は敷布団の角とが当接するため、マットレス又は敷布団用カバー型シーツの角は、マットレス又は敷布団の角より角方向に突き出る形状となる（突出面が形成される）。
【００２０】
したがって、本考案において、マットレス又は敷布団から取り外す作業者は、その突出面を把持し、マットレス又は敷布団用カバー型シーツを引っ張るように持ち上げることで、シーツの取り外し作業を簡易迅速に行うことができる。
【００２１】
請求項２に記載の考案は、シーツ本体と第１の袋部とが封着されている、いずれか１つの箇所よりも角側が、角取りされていることから、本考案では、請求項１に記載の考案の効果に加え、外観上、見栄えが良いマットレス又は敷布団カバー型シーツを提供することができる。
【００２２】
請求項３に記載の考案は、シーツ本体の一方の短辺側に位置する両角を挟む、それぞれの隣り合う２辺を跨る線が直線になるように封着する。したがって、本考案では、請求項１又は２に記載の考案の効果に加え、大きな手間とコストを要することなく、封着作業の工程を簡易迅速に行うことができる。
【００２３】
請求項４に記載の考案は、請求項１に係る構成と、シーツ本体の他方の短辺側に形成されているマットレス又は敷布団の他方の短辺側を覆う第２の袋部とを備え、シーツ本体と第２の袋部とが、シーツ本体の他方の短辺側に位置する両角を挟む、それぞれの隣り合う２辺を跨る線に沿って封着されている。したがって、本考案では、請求項１に記載の考案の効果に加えて、マットレス又は敷布団用カバー型シーツが、第１の袋部と、第２の袋部とでマットレス又は敷布団の両短辺で強固に保持されることになるため、使用者の寝返り等で生じるシーツのずれ落ちを軽減することができる。
【００２４】
請求項５に記載の考案は、シーツ本体と第１及び第２の袋部とが封着されている、いずれか１つの箇所よりも角側が角取りされているため、本考案では、請求項４に記載の考案の効果に加えて、外観上、見栄えを良くすることができる。
【００２５】
このため、本考案は、マットレス又は敷布団にシーツが強固に保持され、装着されたシーツの外観を重要視するとともに、シーツの交換及び洗濯作業工程の簡易迅速化が求められる施設等において、外観上の見栄えが良いマットレス又は敷布団用カバー型シーツを提供することができる。なお、そのような施設としては、例えば、ホテルがある。
【００２６】
請求項６に記載の考案は、シーツ本体の全ての角を挟む、それぞれの隣り合う２辺を跨る線を直線で封着する。したがって、本考案では、請求項４又は５に記載の考案の効果に加え、大きな手間とコストを要することなく、封着作業の工程を簡易迅速に行うことができる。
【図面の簡単な説明】
【００２７】
【図１】本考案の実施例１に係るマットレス又は敷布団用カバー型シーツの背面図である。
【図２】本考案の実施例１に係るマットレス又は敷布団用カバー型シーツをマットレスに装着した状態の斜視図である。
【図３】本考案の実施例１に係るマットレス又は敷布団用カバー型シーツの変形例を表す背面図である。
【図４】本考案の実施例１に係るマットレス又は敷布団用カバー型シーツの変形例を表す背面図である。
【考案を実施するための形態】
【００２８】
以下、図面を用いて本考案の詳細を説明する。
【実施例１】
【００２９】
まず、図１を用いて、本考案の実施例１に係るマットレス又は敷布団用カバー型シーツ１００の形態について説明する。
【００３０】
図１は本考案の実施例１に係るマットレス又は敷布団用カバー型シーツを表す背面図である。
【００３１】
図１に示すように、マットレス又は敷布団用カバー型シーツ１００は、シーツ本体１０及び第１の袋部２０ａを備える。
【００３２】
［シーツ本体１０］
図１に示すように、シーツ本体１０は、公知のシーツと同様に矩形状にて形成される。シーツ本体１０の寸法は、マットレス又は敷布団のサイズに応じて適宜決定され、例えばシングル用のマットレス（シングルベットに載置されるマットレス又は敷布団）に使用されるシーツ本体１０の場合、短手方向の長さは概ね９８ｃｍ、長手方向の長さは概ね２４５ｃｍに形成される（以下、本実施例では、シングル用のマットレス又は敷布団に使用されるマットレス又は敷布団用カバー型シーツ１００の各寸法について説明する）。
【００３３】
［第１の袋部２０ａ］
図１に示すように、第１の袋部２０ａは、シーツ本体１０の一方の短辺側に形成される。第１の袋部２０ａは、平面視において、上辺２１がシーツ本体１０の一方の短辺側に位置する矩形状にて形成されており、下辺２２がシーツ本体１０の他方の短辺方向に向かい開口している。第１の袋部２０ａの長手方向の長さは概ね９８ｃｍ、短手方向の長さ（上辺２１から下辺２２までの直線距離）は概ね３０ｃｍに形成される。なお、第１の袋部２０ａの短手方向の長さについては、マットレス又は敷布団の厚みに応じて適宜決定されるものであり、本実施形態の大きさに限定されるものではない。
【００３４】
次に、図１及び図２を用いて、本考案の実施例１に係るマットレス又は敷布団用カバー型シーツ１００の製造方法について説明する。
【００３５】
図２は本考案の実施例１に係るマットレス又は敷布団用カバー型シーツをマットレスに装着した状態を表す斜視図である。
【００３６】
図１に示すように、シーツ本体１０に形成される第１の袋部２０ａは、シーツ本体１０の一方の短辺側に位置し、シーツ本体１０の一方の短辺と、第１の袋部２０ａの上辺２１の重なる辺を重着し、シーツ本体１０の一方の短辺側の両長辺と、第１の袋部２０ａの短辺（シーツ本体１０の長辺と重なる第１の袋部２０ａの辺）を重着することで袋状に形成する。
【００３７】
なお、シーツ本体１０の素材は、一般的なシーツに使用されている素材であればよく、例えば綿、麻や絹等の天然繊維や、ポリエステルやナイロン等の化学繊維等にて形成することができる。また、第１の袋部２０ａの素材は、シーツ本体１０と同じ素材にしてもよいが、第１の袋部２０ａをマットレス２００の一方の短辺側に引っ掛けて、マットレス２００の一方の短辺側の全側面と、マットレス２００の短辺側の裏面とを容易に覆う必要があることから、例えば、ニット素材のように伸縮性、弾力性、柔軟性に富んだ素材にすることが望ましい。
【００３８】
図１及び２に示すように、シーツ本体１０と第１の袋部２０ａは、シーツ本体１０の一方の短辺側に位置する両角を挟む、それぞれの隣り合う２辺を跨る直線（封着線３０）に沿って封着される。このとき、封着線３０を底辺とし、封着線３０より角側に形成される２辺を斜辺とする三角形状の突出面４０が形成される。そして、突出面４０を両底角が４５度からなる直角二等辺三角形状とすることで、本実施例では、見栄えの良い突出面４０を有するマットレス又は敷布団用カバー型シーツ１００を提供することができる。
【００３９】
また、上述の直角二等辺三角形状からなる突出面４０は、マットレス２００の角より角方向に突き出る面を少なくすることで、マットレス又は敷布団用カバー型シーツ１００の外観を見栄えの良いものとするため、概ね底辺を４．５ｃｍ、斜辺を３ｃｍにて形成することが望ましい。
【００４０】
なお、封着線３０の封着する方法としては、縫着する他、封着されている箇所よりも角側方向への埃や塵等の侵入を防止する封着方法であればよく、例えば、面ファスナー、布用の両面テープや接着剤等にて封着することもできる。
【００４１】
最後に、図２を用いて、本考案の実施例１に係るマットレス又は敷布団用カバー型シーツ１００の使用方法について説明する。
【００４２】
まず、マットレス又は敷布団用カバー型シーツ１００を取り付ける作業者は、シーツ本体１０の一方の短辺側に形成される第１の袋部２０ａをマットレス２００の一方の短辺側の側面に被せるように引っ掛ける。
【００４３】
続いて、作業者は、シーツ本体１０の他方の短辺をマットレス２００の他方の短辺方向に引っ張ることで、マットレス又は敷布団用カバー型シーツ１００をマットレス２００に載置した状態とする。
【００４４】
最後に、作業者は、シーツ本体１０の他方の短辺側をマットレス２００の下面に入れ込むようにする。このように、マットレス又は敷布団用カバー型１００をマットレス２００に装着することで、簡易迅速なシーツ取り付け作業が可能となる。
【００４５】
このとき、シーツ本体１０と第１の袋部２０ａとが封着されている、いずれか１つの箇所よりも角側は、角取りされているため、マットレス又は敷布団用カバー型シーツ１００をマットレス２００に装着した外観は見栄えの良いものとなる。
【００４６】
なお、本考案では、封着線３０と、マットレス２００の角とが当接し、マットレス又は敷布団用カバー型シーツ１００において、封着線３０よりも角側が、マットレス又は敷布団の角より角方向に突き出るため（突出面４０）、作業者は、マットレス又は敷布団用カバー型シーツ１００を取り外す際には、突出面４０を把持し、マットレス又は敷布団用カバー型シーツ１００を引っ張るように持ち上げることで、マットレス又は敷布団用カバー型シーツ１００をマットレス２００から容易に取り外すことができる。
【００４７】
また、マットレス又は敷布団用カバー型シーツ１００を洗濯する場合において、洗濯作業者は、マットレス又は敷布団用カバー型シーツ１００に封着線３０が形成されていることから、マットレス又は敷布団用カバー型シーツ１００を継続使用することで第１の袋部２０ａ内部に蓄積される埃や塵等を取り除く際に、第１の袋部２０ａ内部の角奥に指を押し込む必要がない。したがって、洗濯作業者は、第１の袋部２０ａ内部の蓄積される埃や塵等を容易に取り除くことができる。
【００４８】
なお、本実施例では、シングル用のマットレスに使用されるマットレス又は敷布団用カバー型シーツ１００の各寸法（シーツ本体１０、第１の袋部２０ａ及び突出面４０の寸法）について説明したが、上述のとおり、これらの寸法は、マットレス又は敷布団のサイズに応じて適宜決定されるものである。
【００４９】
また、本実施例では、シーツ本体１０の一方の短辺側に第１の袋部２０ａを形成するものとしているが、図３に示すように、シーツ本体１０の他方の短辺側に第１の袋部２０ａと同様の構成を有する第２の袋部２０ｂを形成することもできる。このように、第１の袋部２０ａと第２の袋部２０ｂを形成することにより、マットレス又は敷布団用カバー型シーツ１００は、マットレス２００に強固に保持することが可能であることから、マットレス又は敷布団用カバー型シーツ１００がマットレスからずれ落ちるリスクを軽減することができる（図３を参照）。
【００５０】
また、このとき、マットレス又は敷布団用カバー型シーツ１００の両長辺に、第１の袋部２０ａと、第２の袋部２０ｂとを繋ぎ合せる、マットレス２００の周側面を覆うための側面部５０を形成してもよい（図３を参照）。
【００５１】
また、本実施例では、封着線３０を直線としているが、封着線３０より角側方向に埃や塵等が這入り込むのを防止するとともに、蓄積した埃や塵等を容易に取り除くことができるのであればよく、例えば、封着線３０を円弧状又は反円弧状に形成することでも、上述した効果を得ることができる（図４（１）及び図４（２）を参照）。
【００５２】
なお、本実施例では、マットレス又は敷布団用カバー型シーツ１００をマットレス２００に装着した際の見栄えを良くするため、マットレス又は敷布団用カバー型シーツ１００の二つの突出面４０の内、一つを角取りしているが、マットレス又は敷布団用カバー型シーツ１００の見栄えを、より良いものに追求したいのであれば、二つの突出面４０の両方を角取りすることも可能である。また、作業者が、マットレス又は敷布団用カバー型シーツ１００を、マットレス２００から取り外す際の作業の効率性（マットレス又は敷布団用カバー型シーツ１００の二つ突出面４０のどちらの位置からも突出面４０を把持することができる）と、封着作業の工程の簡易迅速性（角取り作業を省略することができる）とを追求するのであれば、マットレス又は敷布団用カバー型シーツ１００の二つの突出面４０の両方を角取りせずに残しておくことも可能である（すなわち、どの突出面４０を角取りするか否かは、マットレス又は敷布団用カバー型シーツ１００の使用状況等に応じて適宜決定することができる）。なお、第２の袋部２０ｂが形成される場合においても、このような変更ができることは勿論である。
【００５３】
このように、本実施例では、本考案の趣旨を逸脱しない範囲で種々の変更が可能であることはいうまでもない。
【符号の説明】
【００５４】
１０      シーツ本体
２０ａ    第１の袋部
２０ｂ    第２の袋部
２１      上辺
２２      下辺
３０      封着線
４０      突出面
５０      側面部
１００    マットレス又は敷布団用カバー型シーツ
２００    マットレス
【図１】
0003200544.tif 000003
【図２】
0003200544.tif 000004
【図３】
0003200544.tif 000005
【図４】
0003200544.tif 000006